(57)【要約】【課題】選択切換バルブを別に設ける必要がなく、流出路の選択切換を行うことができて、操作性及び施工性を向上させることができるプッシュ式水栓を提供する。【解決手段】流入路２１に対向して複数の流出路２３を設ける。いずれか１つの流出路２３を選択して流入路２１に接続するための流量調節兼流路選択機構２７を設ける。操作ハンドル１３の押圧操作ごとに、流入路２１から選択された流出路２３への流路を開放状態と閉成状態とに交互に切り換えるための開閉弁機構２６を設ける。【選択図】      図２
2004232691.tif 000002
【特許請求の範囲】
【請求項１】
操作ハンドルの押圧操作ごとに、流入路から流出路への流路を開放状態と閉成状態とに交互に切り換えるための開閉弁機構を備えたプッシュ式水栓において、
前記流出路を複数設けるとともに、いずれか１つの流出路を選択して流入路に接続するための流路選択機構を設けたことを特徴とするプッシュ式水栓。
【請求項２】
前記開閉弁機構の開放時に、流出路からの吐水流量を調節するための流量調節機構を設けたことを特徴とする請求項１に記載のプッシュ式水栓。
【請求項３】
前記流路選択機構及び流量調節機構は、操作ハンドルの回動操作に基づいて流出路の選択及び吐水流量の調節を行うことを特徴とする請求項２に記載のプッシュ式水栓。
【発明の詳細な説明】
【０００１】
【発明の属する技術分野】
この発明は、例えば浴室のカウンタ等に設けられるプッシュ式水栓に関するものである。
【０００２】
【従来の技術】
従来、この種のプッシュ式水栓としては、例えば、特許文献１に開示されるような構成のものが知られている。この従来構成においては、押釦を押圧操作するごとに、流入路から流出路への流路が開放状態と閉成状態とに交互に切り換えられるようになっている。また、調節ハンドルを回動操作することにより、流出路からの吐水流量が調節されるようになっている。
【０００３】
【特許文献１】
特開昭５３−５６７２１号公報
【０００４】
【発明が解決しようとする課題】
ところで、この従来のプッシュ式水栓を、例えば浴室のカウンタ等に取り付けて、吐水管とシャワーヘッドとに湯水を吐出させようとする構成が一般的である。このような構成の場合、湯水の流路を吐水管とシャワーヘッドとに選択的に切り換えるための選択切換バルブを、プッシュ式水栓の流出路側に設ける必要がある。しかしながら、このようにプッシュ式水栓と選択切換バルブとを別々に設けた場合、カウンタのスペースが狭くなるとともに、プッシュ式水栓と選択切換バルブとを離れた位置で操作しなければならず、操作性が悪くなるという問題があった。また、プッシュ式水栓と選択切換バルブとを別々に取り付けて、それらの間を配管接続する必要があるため、施工が面倒になり、施工性が悪くなるという問題もあった。
【０００５】
この発明は、このような従来の技術に存在する問題点に着目してなされたものである。その目的は、選択切換バルブを別に設ける必要がなく、流出路の選択切換を行うことができて、操作性及び施工性を向上させることができるプッシュ式水栓を提供することにある。
【０００６】
【課題を解決するための手段】
上記の目的を達成するために、請求項１に記載の発明は、操作ハンドルの押圧操作ごとに、流入路から流出路への流路を開放状態と閉成状態とに交互に切り換えるための開閉弁機構を備えたプッシュ式水栓において、前記流出路を複数設けるとともに、いずれか１つの流出路を選択して流入路に接続するための流路選択機構を設けたことを特徴とするものである。
【０００７】
従って、この請求項１に記載の発明によれば、選択切換バルブを別に設ける必要がなく、流出路の選択切換を行うことができる。よって、このプッシュ式水栓を、例えば浴室のカウンタ等に取り付けて使用した場合、カウンタのスペースを有効利用することができるとともに、流出路の選択切換及び吐水と止水の切換を一カ所で行うことができて、操作性を向上させることができる。また、プッシュ式水栓と別に選択切換バルブを取り付けて、それらの間を配管接続する必要がないので、施工性を向上させることもできる。
【０００８】
請求項２に記載の発明は、請求項１に記載の発明において、前記開閉弁機構の開放時に、流出路からの吐水流量を調節するための流量調節機構を設けたことを特徴とするものである。
【０００９】
従って、この請求項２に記載の発明によれば、流出路からの吐水流量の調節も併せて行うことができて、操作性を一層向上させることができる。
請求項３に記載の発明は、請求項２に記載の発明において、前記流路選択機構及び流量調節機構は、操作ハンドルの回動操作に基づいて流出路の選択及び吐水流量の調節を行うことを特徴とするものである。
【００１０】
従って、この請求項３に記載の発明によれば、１つの操作ハンドルにより、開閉弁機構、流路選択機構及び流量調節機構を作動操作することができて、構造の簡略化を図ることができる。
【００１１】
【発明の実施の形態】
以下に、この発明の一実施形態を、図面に基づいて説明する。
図１に示すように、浴室のカウンタ１１上にはプッシュ式水栓１２が配設され、その前面には操作ハンドル１３が突設されている。プッシュ式水栓１２の上部には温度調節器１４が付設され、その側部には温度調節つまみ１５が突設されている。プッシュ式水栓１２の下部には吐水管１６が突設されている。温度調節器１４の側部にはシャワーホース１７が延長され、その先端にはシャワーヘッド１８が接続されている。
【００１２】
図２〜図４に示すように、前記プッシュ式水栓１２における水栓本体２０の後端上部には流入路２１が突出形成され、接続管２２を介して温度調節器１４に接続されている。そして、温度調節器１４において所望の設定温度に調節された湯水が、接続管２２を介して流入路２１から水栓本体２０内に供給されるようになっている。水栓本体２０の中央下部には第１流出路２３が突出形成され、その下端には前記吐水管１６が接続されている。水栓本体２０の中央側部には第２流出路２４が突出形成され、その先端には接続管２５を介して前記シャワーホース１７が接続されている。
【００１３】
前記水栓本体２０内には開閉弁機構２６が配設されている。そして、操作ハンドル１３が押圧操作されるごとに、この開閉弁機構２６が作動されて、流入路２１から流出路２３，２４への流路が開放状態と閉成状態とに交互に切り換えられる。これにより、吐水管１６あるいはシャワーヘッド１８から、湯水が吐水または止水されるようになっている。
【００１４】
前記水栓本体２０内には流量調節機構を兼用する流路選択機構（以下、単に流量調節兼流路選択機構という）２７が配設されている。そして、操作ハンドル１３が回動操作されることにより、この流量調節兼流路選択機構２７が作動されて、いずれか一方の流出路２３，２４が流入路２１に選択接続されるとともに、流出路２３，２４への吐水流量が調節されるようになっている。
【００１５】
すなわち、図１に示すように、操作ハンドル１３の頂面には指標１３ａが設けられている。そして、この指標１３ａに基づいて、操作ハンドル１３を時計方向に回動操作したときには、第１流出路２３が流入路２１に選択接続されるとともに、その第１流出路２３への吐水流量が操作ハンドル１３の回動量に応じて増大される。また、操作ハンドル１３を反時計方向に回動操作したときには、第２流出路２４が流入路２１に選択接続されるとともに、その第２流出路２４への吐水流量が操作ハンドル１３の回動量に応じて増大されるようになっている。
【００１６】
次に、前記各機構２６，２７の構成について詳細に説明する。
図２及び図３に示すように、前記開閉弁機構２６において、水栓本体２０内にはガイド筒２８が嵌合固定され、その周壁には流入路２１に連通する連通孔２８ａが形成されるとともに、内周には弁座口２８ｂが形成されている。ガイド筒２８の弁座口２８ｂには弁体２９が移動可能に挿通され、その中央部には弁座口２８ｂに開閉可能に対応する開閉部２９ａが形成されている。弁体２９の後端にはピストン部２９ｂが形成され、このピストン部２９ｂによりガイド筒２８内に弁室３０が形成されている。
【００１７】
前記弁体２９の中心には挿通孔３１が形成され、その後端にはテーパ面３１ａが形成されている。弁体２９の挿通孔３１には弁軸３２が移動可能に挿通され、その後端にはテーパ面３１ａに接離可能に対応するテーパ部３２ａが形成されている。弁軸３２の前端には止め輪３３が取り付けられ、弁体２９の前端に係合可能に対応している。
【００１８】
前記弁軸３２の後端とガイド筒２８の内底部との間には第１バネ３４が介装され、この第１バネ３４により弁軸３２及び弁体２９が前方に向かって移動付勢されている。これにより、図２及び図３に示すように、通常は弁軸３２のテーパ部３２ａがテーパ面３１ａと接合する位置に保持されるとともに、弁体２９の開閉部２９ａが弁座口２８ｂを閉成する位置に保持されている。
【００１９】
前記弁体２９のピストン部２９ｂには小孔３５が貫通形成されている。そして、弁軸３２が第１バネ３４の付勢力に抗して後方へ押圧移動されたとき、弁軸３２の後方移動に伴い、弁体２９が止め輪３３を介して後方に移動される。このため、図７に示すように、開閉部２９ａが弁座口２８ｂから離間する位置に移動配置されて、流入路２１から流出路２３，２４への流路が開放されるようになっている。
【００２０】
図２〜図４に示すように、前記流量調節兼流路選択機構２７において、水栓本体２０内には外筒３７が嵌合固定され、その周壁には各流出路２３，２４に連通する第１及び第２連通孔３７ａ，３７ｂが形成されている。外筒３７内には回転内筒３８が所定角度範囲内（実施形態では、図４に示す状態と図９に示す状態との間の１８０度の範囲内）で回動可能に挿通支持され、その周壁には外筒３７の連通孔３７ａ，３７ｂに対応可能な調節孔３８ａが形成されている。
【００２１】
そして、図４に示すように、回転内筒３８が時計方向に規制位置まで大きく回動されたときには、調節孔３８ａ全体が第１連通孔３７ａに対応配置される。これにより、吐水管１６側の第１流出路２３が流入路２１に選択接続されるとともに、その第１流出路２３への吐水流量が最大に調節設定される。また、図８に示すように、回転内筒３８が時計方向に小さく回動されたときには、調節孔３８ａが第１連通孔３７ａに部分的に対応配置される。これにより、吐水管１６側の第１流出路２３が流入路２１に選択接続されるとともに、その第１流出路２３への吐水流量が所定の値に調節設定されるようになっている。
【００２２】
これに対して、図９に示すように、回転内筒３８が反時計方向に規制位置まで大きく回動されたときには、調節孔３８ａ全体が第２連通孔３７ｂに対応配置される。これにより、シャワーホース１７側の第２流出路２４が流入路２１に選択接続されるとともに、その第２流出路２４への吐水流量が最大に調節設定される。また、図１０に示すように、回転内筒３８が反時計方向に小さく回動されたときには、調節孔３８ａが第２連通孔３７ｂに部分的に対応配置される。これにより、シャワーホース１７側の第２流出路２４が流入路２１に選択接続されるとともに、その第２流出路２４への吐水流量が所定の値に調節設定されるようになっている。
【００２３】
図５及び図６に示すように、前記回転内筒３８の内周面には３つの突条３９が等間隔おきで軸線方向へ延びるように形成され、それらの突条３９間には縦溝４０が形成されている。各突条３９の後端には鋸歯面４１がそれぞれ形成され、これらの鋸歯面４１によって、隣接する縦溝４０の中間部に位置するようにストッパ部４２が形成されている。
【００２４】
図２、図３及び図５に示すように、前記回転内筒３８内の前部には操作軸４３が挿通支持され、その前端には前記操作ハンドル１３が取り付けられている。操作軸４３の後端中央には支持孔４４が形成されるとともに、後端外周にはフランジ部４５が形成されている。操作軸４３のフランジ部４５と回転内筒３８との間には第２バネ４６が介装され、この第２バネ４６により、操作軸４３が前方の突出位置に向かって移動付勢されている。
【００２５】
前記操作軸４３のフランジ部４５の外周面には３つの係合突起４７が等間隔おきに突設されるとともに、フランジ部４５の後面には６つの山形カム面４８が等間隔おきに形成されている。そして、操作軸４３の各係合突起４７が回転内筒３８の各縦溝４０に摺動可能に係合されることにより、操作軸４３が回転内筒３８内に一体回動可能及び軸線方向へ相対移動可能に支持されている。
【００２６】
前記操作軸４３の支持孔４４には回転体４９が相対回転可能及び軸線方向へ相対移動可能に挿通支持され、その中央外周にはフランジ部５０が形成されている。フランジ部５０の外周面には、回転内筒３８の縦溝４０及びストッパ部４２に係合可能な３つの係合突起５１が等間隔おきに突設されている。また、フランジ部５０の前面には、操作軸４３の山形カム面４８に係合可能な６つの傾斜面５２が等間隔おきに形成されている。
【００２７】
前記弁軸３２の前端と接離可能に対応するように、回転内筒３８内の後部には作動軸５３が支持筒５４を介して軸線方向へ移動可能に支持され、その前端が前記回転体４９の後端に螺着されている。支持筒５４と回転体４９との間には第３バネ５５が介装され、この第３バネ５５により、回転体４９及び作動軸５３が前方に向かって移動付勢されて、回転体４９の傾斜面５２が操作軸４３の山形カム面４８に係合されるようになっている。
【００２８】
次に、前記のように構成されたプッシュ式水栓１２の作用を説明する。
通常では、図２及び図３に示すように、第１バネ３４の付勢力により、弁体２９が前方位置に移動配置され、その開閉部２９ａが弁座口２８ｂに接合して、流入路２１と流出路２３，２４との間の流路が閉成された状態にある。この状態では、第２バネ４６の付勢力により、操作ハンドル１３及び操作軸４３が前方位置に移動配置されている。また、第３バネ５５の付勢力により、回転体４９及び作動軸５３が前方位置に移動配置され、その回転体４９上の係合突起５１が回転内筒３８の縦溝４０内に挿入係合されている。
【００２９】
この状態において、吐水管１６から湯水を吐水させて使用する場合には、操作ハンドル１３を指標１３ａの指示に基づいて、図１の時計方向に回動操作する。すると、操作軸４３が一体的に回動され、係合突起４７と縦溝４０との係合を介して、回転内筒３８が同方向へ回動される。これにより、図４及び図８に示すように、操作ハンドル１３の回動量に応じた位置関係で、回転内筒３８の調節孔３８ａが外筒３７の第１連通孔３７ａに対応配置されて、流入路２１が吐水管１６側に選択切換されるとともに、その吐水管１６への吐水流量が調節される。
【００３０】
その後、操作ハンドル１３を押圧操作すると、操作軸４３が第２バネ４６の付勢力に抗して後方に移動され、回転体４９を介して作動軸５３が同方向に移動される。これにより、図７に示すように、弁軸３２が第１バネ３４の付勢力に抗して後方に押圧移動され、弁体２９が弁座口２８ｂから離間した後方位置に移動されて、流入路２１と第１流出路２３との間の流路が開放される。その結果、前記のように調節された所定吐水流量の湯水が第１流出路２３を介して吐水管１６から吐出される。
【００３１】
この場合、前記操作軸４３の後方移動に伴って、山形カム面４８と傾斜面５２との係合により、回転体４９が所定角度回動され、図６に示すように、その回転体４９上の係合突起５１が回転内筒３８の縦溝４０から脱出して、ストッパ部４２に係合されている。よって、この状態で操作ハンドル１３の押圧操作を解放しても、第２バネ４６の付勢力により、操作ハンドル１３及び操作軸４３が前方位置に復帰移動されるが、回転体４９及び作動軸５３は後方位置に保持されている。これにより、弁軸３２及び弁体２９が後方位置に押圧保持されて、流入路２１と第１流出路２３との間の流路が開放状態に保持され、吐水管１６から湯水が吐出され続ける。
【００３２】
その後、操作ハンドル１３を再び押圧操作すると、操作軸４３が後方に移動され、山形カム面４８と傾斜面５２との係合により、回転体４９がさらに所定角度回動される。これにより、回転体４９上の係合突起５１が回転内筒３８のストッパ部４２から離脱して、縦溝４０内に挿入係合される。このため、その後に操作ハンドル１３の押圧操作を解除すると、第２バネ４６の付勢力により、操作ハンドル１３及び操作軸４３が前方位置に復帰移動されるとともに、第３バネ５５の付勢力により、回転体４９及び作動軸５３も前方位置に復帰移動される。
【００３３】
これにより、図２及び図３に示すように、弁軸３２が押圧状態から開放されて、第１バネ３４の付勢力により、弁軸３２及び弁体２９が前方位置に移動される。しかし、弁室３０内は減圧状態であるため、弁体２９はすぐに弁座口２８ｂを閉鎖することなく、小孔３５より流入路２１から弁室３０に供給される圧力水によって図３の左方に移動されて、弁室３０の容積が徐々に拡大する。そして、弁室３０内の水圧が流入路２１内の水圧と同圧になると、第１バネ３４の付勢力により弁体２９が弁座口２８ｂを閉塞し、吐水管１６からの湯水が止水される。このように、操作ハンドル１３を繰り返し押圧操作することにより、吐水管１６が湯水の吐水状態と止水状態とに交互に切り換えられる。
【００３４】
次に、シャワーヘッド１８から湯水を吐水させて使用する場合には、操作ハンドル１３を指標１３ａの指示に基づいて、図１の反時計方向に回動操作すると、前記の場合と同様に、操作軸４３を介して回転内筒３８が同方向へ回動される。これにより、図９及び図１０に示すように、操作ハンドル１３の回動量に応じた位置関係で、回転内筒３８の調節孔３８ａが外筒３７の第２連通孔３７ｂに対応配置されて、流入路２１がシャワーホース１７側に選択切換されるとともに、そのシャワーホース１７への吐水流量が調節される。
【００３５】
その後、操作ハンドル１３を押圧操作すると、前記と同様に弁体２９が後方位置に移動されて、流入路２１と第２流出路２４との間の流路が開放される。これにより、調節された所定吐水流量の湯水が第２流出路２４からシャワーホース１７に流出されて、シャワーヘッド１８から吐出される。そして、この場合にも前記との場合と同様に、操作ハンドル１３を繰り返し押圧操作することにより、シャワーヘッド１８が湯水の吐水状態と止水状態とに交互に切り換えられる。
【００３６】
従って、この実施形態によれば、以下のような効果を得ることができる。
（１）  このプッシュ式水栓１２においては、操作ハンドル１３の押圧操作ごとに、流入路２１から流出路２３，２４への流路を開放状態と閉成状態とに交互に切り換えるための開閉弁機構２６が設けられている。また、前記流出路２３，２４が複数設けられ、いずれか１つの流出路２３，２４を選択して流入路２１に接続するための流量調節兼流路選択機構２７が設けられている。
【００３７】
このため、選択切換バルブを別に設ける必要がなく、プッシュ式水栓１２において流出路２３，２４の選択切換を行うことができる。よって、このプッシュ式水栓１２を、例えば浴室のカウンタ１１等に取り付けて使用した場合、カウンタ１１のスペースを有効利用することができるとともに、流出路２３，２４の選択切換及び吐水と止水の切換を一カ所で行うことができて、操作性を向上させることができる。また、プッシュ式水栓１２と別に選択切換バルブを取り付けて、それらの間を配管接続する必要がないので、施工性を向上させることもできる。
【００３８】
（２）  このプッシュ式水栓１２においては、前記流量調節兼流路選択機構２７が、流出路２３，２４からの吐水流量を調節するための流量調節機構を兼用するように構成されている。このため、構造が簡単であるとともに、流出路２３，２４からの吐水流量の調節も併せて行うことができて、操作性を一層向上させることができる。
【００３９】
（３）  このプッシュ式水栓１２においては、前記流量調節兼流路選択機構２７が、操作ハンドル１３の回動操作に基づいて作動されて、流出路２３，２４の選択及び吐水流量の調節が行われるようになっている。このため、１つの操作ハンドル１３により、開閉弁機構２６及び流量調節兼流路選択機構２７を作動操作することができて、構造の簡略化を図ることができる。
【００４０】
（変更例）
なお、この実施形態は、次のように変更して具体化することも可能である。
・  前記実施形態において、流量調節兼流路選択機構２７を、開閉弁機構２６の操作ハンドル１３とは別の操作ハンドルによって作動操作するように構成すること。
【００４１】
・  前記実施形態において、流量調節機構を流量調節兼流路選択機構２７と兼用することなく別に設けること。
・  前記実施形態において、開閉弁機構２６、流量調節兼流路選択機構２７及び流量調節機構の構造を任意に変更して構成すること。
【００４２】
【発明の効果】
以上、実施形態で例示したように、この発明においては、選択切換バルブを別に設ける必要がなく、流出路の選択切換を行うことができる。よって、操作性の及び施工性を向上させることができる。
【図面の簡単な説明】
【図１】一実施形態のプッシュ式水栓を備えたカウンタの斜視図。
【図２】図１のプッシュ式水栓を拡大して示す要部縦断面図。
【図３】図２の一部を拡大して示す部分断面図。
【図４】図２の４−４線における要部断面図。
【図５】開閉弁機構の操作構成を分解して示す斜視図。
【図６】流量調節兼流路選択機構の回転内筒の展開断面図。
【図７】図２の状態で操作ハンドルを押圧して示す要部断面図。
【図８】図４の状態で吐水流量を調節して示す断面図。
【図９】図４の状態からシャワー側に流路を切り換えて示す断面図。
【図１０】図９の状態で吐水流量を調節して示す断面図。
【符号の説明】
１２…プッシュ式水栓、１３…操作ハンドル、１６…吐水管、１７…シャワーホース、１８…シャワーヘッド、２０…水栓本体、２１…流入路、２３…第１流出路、２４…第２流出路、２６…開閉弁機構、２７…流量調節兼流路選択機構、２８…ガイド筒、２８ｂ…弁座口、２９…弁体、２９ａ…開閉部、３２…弁軸、３４…第１バネ、３７…外筒、３８…回転内筒、３８ａ…調節孔、４３…操作軸、４９…回転体、５３…作動軸。
【図１】
2004232691.tif 000003
【図２】
2004232691.tif 000004
【図３】
2004232691.tif 000005
【図４】
2004232691.tif 000006
【図５】
2004232691.tif 000007
【図６】
2004232691.tif 000008
【図７】
2004232691.tif 000009
【図８】
2004232691.tif 000010
【図９】
2004232691.tif 000011
【図１０】
2004232691.tif 000012